(57)【要約】  【課題】  負荷に対して適切な電圧供給が可能な電源装置を提供する。  【解決手段】  電源装置１００−１は、負荷１５０に対して電圧を供給する。この電源装置１００−１には、負荷１５０の抵抗値が変動しても、当該負荷１５０に供給される電圧が所定値となるように、他端が接地された抵抗１１６が設けられている。制御回路１０２は、負荷１５０に供給すべき電圧の値に応じて、抵抗１１２と抵抗１１４の接続位置の電位（Ｖ２の電位）を所定値に設定する。【選択図】  図６
2007028831.tif 000002
【特許請求の範囲】
【請求項１】
負荷に対して直列に接続される終端抵抗を出力端に有し、該負荷に終端抵抗を介して電圧を供給する電圧供給回路と、
前記負荷の状態に応じて、前記電圧供給回路の所定位置の電位を制御する制御手段とを有し、
前記制御手段は、前記終端抵抗に起因する電位の変動を補正する補正手段を有することを特徴とする電源装置。
【請求項２】
前記補正手段は、前記負荷に流れる電流が前記電圧供給回路に帰還する経路に挿入され、前記電流を検出する電流検出手段を有することを特徴とする請求項１に記載の電源装置。
【請求項３】
一端が前記終端抵抗の前段に接続され、前記所定位置の電位として当該前段の電位を検出する電圧検出手段を有し、
前記補正手段は、前記電圧検出手段の他端に接続されることを特徴とする請求項２に記載の電源装置。
【請求項４】
前記補正手段は、前記負荷に流れる電流に応じて、前記電位の変動を打ち消す電位を発生するための抵抗値を有する抵抗器であることを特徴とする請求項２又は３に記載の電源装置。
【請求項５】
前記電圧検出手段は、
前記一端と他端の間の電圧を分圧するように直列に接続された第1の抵抗と第2の抵抗を有し、
前記制御手段は、前記負荷に供給されるべき電圧に応じて、前記第１の抵抗と前記第２の抵抗との接続位置の電位を所定値とする制御を行うことを特徴とする請求項３に記載の電源装置。
【請求項６】
前記終端抵抗は、前記前段側端と反対側の負荷側端が所定電位に維持されることを特徴とする請求項５に記載の電源装置。
【請求項７】
前記終端抵抗の前段側端の電位は、前記負荷に流れる電流に対応した電流に応じて変化することを特徴とする請求項６に記載の電源装置。
【発明の詳細な説明】
【技術分野】
【０００１】
本発明は、負荷、例えば、プリンタ等においてトナーによる画像形成を行う現像器に対して電圧を供給する電源装置に関する。
【背景技術】
【０００２】
コピー機、プリンタ、あるいはこれらの機能を併せ持ついわゆるデジタル複合機等の画像形成装置は、感光体に印刷対象の画像に対応するトナーを吸着させる現像処理を行い、その感光体に吸着されたトナーを用紙に転写させ、更に加熱溶解により定着させる処理を行っている（例えば、特許文献１乃至４参照）。
【０００３】
図１は、従来の画像形成装置の第１の構成を示す図である。図１に示す画像形成装置２００は、例えば、白黒印刷を行うコピー機である。この画像形成装置２００において、感光体２１２は、印刷時に回転する。この感光体２１２の側面近傍には、帯電器２１４、プリントヘッド２１５、現像器２１６、転写器２１８が配置されている。帯電器２１４は、直流高圧電源２２６及び交流高圧電源２２７から供給される電圧を重畳したものにより、感光体２１２の側面を帯電させる。プリントヘッド２１５は、感光体２１２の側面に光を照射することにより、当該感光体２１２の側面に、印刷対象の画像に対応する静電潜像を形成する。現像器２１６は、マグロール２１７を有する。このマグロール２１７は、直流高圧電源２２８及び交流高圧電源２２９から供給される電圧を重畳したものにより側面にトナーを吸着する。更に、マグロール２１７は、印刷時に感光体２１２とともに回転して、側面に吸着したトナーを感光体２１２の側面に形成された静電潜像の領域に吸着させる。転写器２１８は、接触転写ロール（ＢＴＲ）であり、印刷時に感光体２１２とともに回転して、当該転写器２１８の側面と感光体２１２の側面との間に供給される用紙２３０を進行させる。更に、転写着２１８は、直流高圧電源２１９により供給される電圧により帯電して、用紙２３０を感光体２１２の側面に押圧する。これにより、感光体２１２の側面に形成された静電潜像の領域に吸着しているトナー、換言すれば、画像に対応するトナーが用紙２３０に転写される。
【０００４】
図２は、従来の画像形成装置の第２の構成を示す図である。図２に示す画像形成装置２５０は、例えば、イエロー、マゼンタ、シアン、ブラックの４色のトナーを用いてカラー印刷を行うコピー機である。この画像形成装置２５０は、図１に示す画像形成装置２００をイエロー、マゼンタ、シアン、ブラックの各色毎の構成、具体的には、イエロー用の画像形成装置２００−１、マゼンタ用の画像形成装置２００−２、シアン用の画像形成装置２００−３及びブラック用の画像形成装置２００−４と、前記４色を重ね合わせる中間転写体２４０と、２次転写部２４１と、当該２次転写部２４１への電圧供給を行う電源２４２と、用紙を剥離する剥離部２４３とにより構成される。用紙が各画像形成装置２００に送られて単色毎の印刷が行われることにより、カラー印刷がなされる。このため、カラー印刷を行う画像形成装置２５０は、白黒印刷を行う画像形成装置２００と比較して、単純計算で４倍のコストがかかることになる。
【０００５】
そこで、コスト削減を図るべく、電圧供給について統合可能なものをまとめる方式が提案されている。図３は、従来の電源装置の構成を示す図である。図３に示す電源装置３００は、イエロー用の画像形成装置、マゼンタ用の画像形成装置及びシアン用の画像形成装置のそれぞれの現像器２１６に対して電圧を供給するものであり、交流電圧の供給回路が統合されている。
【０００６】
電源装置３００において、ＡＣ−ＹＭＣ回路３１２は、トランジスタ３１４及び３１６のコレクタ同士が接続されるとともに、これらコレクタはトランス３１８の１次側に接続されている。トランス３１８の２次側は、コンデンサ３２０−１を介して、イエロー用の画像形成装置に直流電圧を供給するＤＣ−Ｙ回路３２２−１に接続されている。同様に、トランス３１８の２次側は、コンデンサ３２０−２を介して、マゼンタ用の画像形成装置に直流電圧を供給するＤＣ−Ｍ回路３２２−２に接続され、コンデンサ３２０−３を介して、シアン用の画像形成装置に直流電圧を供給するＤＣ−Ｃ回路３２２−３に接続される。
【０００７】
ＤＣ−Ｙ回路３２２−１は、一端がコンデンサ３２０−１に接続された終端抵抗３２４−１と、マイナス側が終端抵抗３２４−１に接続され、プラス側が接地された直流高圧電源３２６−１により構成される。同様に、ＤＣ−Ｍ回路３２２−２は、一端がコンデンサ３２０−２に接続された終端抵抗３２４−２と、マイナス側が終端抵抗３２４−２に接続され、プラス側が接地された直流高圧電源３２６−２により構成され、ＤＣ−Ｃ回路３２２−３は、一端がコンデンサ３２０−３に接続された終端抵抗３２４−３と、マイナス側が終端抵抗３２４−３に接続され、プラス側が接地された直流高圧電源３２６−３により構成される。
【０００８】
このような構成により、電源装置３００は、イエロー用の画像形成装置、マゼンタ用の画像形成装置及びシアン用の画像形成装置のそれぞれに対して、周波数、位相、電圧及びオンオフタイミングが共通の交流電圧を供給するとともに、電位及びオンオフタイミングが独立の直流電圧を供給する。
【特許文献１】特開平６−３３７６００号公報
【特許文献２】特開平８−６２９２４号公報
【特許文献３】特開平９−１０９５１２号公報
【特許文献１】特開２００２−１４８８８８号公報
【発明の開示】
【発明が解決しようとする課題】
【０００９】
上述した電源装置３００のように、交流電圧の供給回路を共通化し、コンデンサ３２０により分岐させて出力する方式を採用する場合、交流電圧が直流電圧供給回路であるＤＣ−Ｙ回路３２２−１等の側へ放電することを防止する、換言すれば、交流電圧の波形が崩れることを防止するために、終端抵抗３２４−１等は、ある程度大きな抵抗値（例えば５００ｋΩ乃至１ＭΩ）とする必要がある。
【００１０】
しかし、終端抵抗３２４−１等の抵抗値を大きくすると以下のような問題を生じる。すなわち、図４に示すように、電源装置３００から現像器２１６へ電圧供給が行われる場合、当該現像器２１６内のマグロール２１７と感光体２１２との間のトナー２３１は、図５の等価回路で示されるように抵抗２３２となる。この抵抗２３２の抵抗値は、トナー２３１の量、換言すれば、印刷濃度によって変化し、トナーの量が多いほど低下する。また、ＤＣ−Ｙ回路３２２−１は、終端抵抗３２４−１の手前の電圧が一定となるような制御を行っており、現像器２１６に供給される電圧（図５のＶの電圧）は、終端抵抗３２４−１と抵抗２３２とによる分圧比によって定まる値となる。
【００１１】
現像器２１６に供給される電圧が変動すると、感光体２１２の吸着の度合いが変化し、印刷濃度に変動が生じるため、抵抗２３２の抵抗値の変動によって出力電流の値が変化しても現像器２１６に対して所定の電圧が供給されるようにする必要がある。現像器２１６に対して所定の電圧が供給されるためには、終端抵抗３２４−１の抵抗値をできるだけ小さくして、当該終端抵抗３２４−１における電圧降下の変動を小さくすることが望ましい。しかし、上述したように、終端抵抗３２４−１等の抵抗値はある程度大きくする必要があるため、出力電流が増加した場合には、終端抵抗３２４−１における電圧降下が大きくなり、その結果、現像器２１６に供給される電圧が小さくなって印刷濃度が低下してしまうことが避けられない。
【００１２】
本発明は、前述したような従来の問題を解決するためになされたもので、負荷に対して適切な電圧供給が可能な電源装置を提供するものである。
【課題を解決するための手段】
【００１３】
本発明の電源装置は、負荷に対して直列に接続される終端抵抗を出力端に有し、該負荷に終端抵抗を介して電圧を供給する電圧供給回路と、前記負荷の状態に応じて、前記電圧供給回路の所定位置の電位を制御する制御手段とを有し、前記制御手段は、前記終端抵抗に起因する電位の変動を補正する補正手段を有する。
【００１４】
この構成により、負荷の状態が変化しても、補正手段により電位の変動を補正するため、負荷に対して適切な電圧供給が可能となる。
【００１５】
また、本発明の電源装置は、前記補正手段が、前記負荷に流れる電流が前記電圧供給回路に帰還する経路に挿入され、前記電流を検出する電流検出手段を有する。
【００１６】
この構成により、検出した電流から負荷の状態を間接的に検出することが可能となる。
【００１７】
また、本発明の電源装置は、一端が前記終端抵抗の前段に接続され、前記所定位置の電位として当該前段の電位を検出する電圧検出手段を有し、前記補正手段が、前記電圧検出手段の他端に接続される。
【００１８】
また、本発明の電源装置は、前記補正手段が、前記負荷に流れる電流に応じて、前記電位の変動を打ち消す電位を発生するための抵抗値を有する抵抗器である。  
【００１９】
また、本発明の電源装置は、前記電圧検出手段が、前記一端と他端の間の電圧を分圧するように直列に接続された第１の抵抗と第２の抵抗を有し、前記制御手段が、前記負荷に供給されるべき電圧に応じて、前記第１の抵抗と前記第２の抵抗との接続位置の電位を所定値とする制御を行う。
【００２０】
また、本発明の電源装置は、前記終端抵抗が、前記前段側端と反対側の負荷側端が所定電位に維持される。
【００２１】
また、本発明の電源装置は、前記終端抵抗の前段側端の電位が、前記負荷に流れる電流に対応した電流に応じて変化する。
【発明の効果】
【００２２】
本発明によれば、負荷の状態を検出することにより、当該負荷に対して適切な電圧供給が可能となる。
【発明を実施するための最良の形態】
【００２３】
以下、本発明の実施の形態の電源装置について、図面を用いて説明する。図６は、電源装置の第１の構成を示す図である。図６に示す電源装置１００−１は、負荷１５０に対して正の直流電圧を供給するものであり、制御回路１０２、スイッチ回路１０４、トランス１０６、ダイオード１０８、コンデンサ１１０、抵抗１１２、１１４、１１６及び終端抵抗１１８により構成される。これらのうち、抵抗１１６により補正回路が構成される。なお、以下においては、負荷１５０は、コピー機等の画像形成装置における現像器と、当該現像器におけるマグロールと感光体との間に形成されるトナーである場合を例に説明する。
【００２４】
電源装置１００−１において、トランス１０６の１次側の一端には直流電圧（ここでは２４Ｖ）が入力される。制御回路１０２は、スイッチ回路１０４に接続され、当該スイッチ回路１０４は、トランス１０６の１次側の他端に接続されている。更に、トランス１０６の２次側の一端は、ダイオード１０８のアノードに接続され、当該ダイオード１０８のカソードは、コンデンサ１１０の一端、抵抗１１２の一端及び終端抵抗１１８の一端に接続されている。また、コンデンサ１１０の他端は、トランス１０６の２次側の他端、抵抗１１４の一端及び抵抗１１６の一端に接続されている。抵抗１１２の他端は、抵抗１１４の他端に接続されている。また、終端抵抗１１８の他端は、負荷１５０の一端に接続されている。また、抵抗１１６の他端と負荷１５０の他端は共に接地されている。
【００２５】
制御回路１０２は、所定のデューティ比を有するＰＷＭ信号を受信し、スイッチ回路１０４へ制御信号を出力する。スイッチ回路１０４は、図示しないトランジスタを内蔵しており、入力した制御信号に応じて、トランス１０６の１次側に対する電圧の供給及び遮断を行う。トランス１０６は、１次側に供給される電圧を変換して２次側へ出力する。この電圧は、ダイオード１０８を介して終端抵抗１１８へ供給され、当該終端抵抗１１８における電圧降下がなされた後の電圧が負荷１５０へ供給される。
【００２６】
負荷１５０を構成するトナーの量が変動すると、当該負荷１５０の抵抗値（負荷抵抗値）が変動し、これに伴って負荷電流も変動する。このため、終端抵抗１１８における電圧降下も変動する。この場合、電源装置１００−１は、負荷１５０の抵抗値が変動しても、当該負荷１５０に供給される電圧が所定値となるように、他端が接地された抵抗１１６を設け、制御回路１０２により、図６のＶ２の電位を所定値に維持することによって、図６のＶ１の電位（出力電位）を制御する。
【００２７】
以下、このような負荷１５０に供給される電圧を所定値に維持する動作の詳細を説明する。なお、以下においては、抵抗１１２の抵抗値が１９９ＭΩ、抵抗１１４の抵抗値が１ＭΩ、抵抗１１６の抵抗値が５．０２５ｋΩ、終端抵抗１１８の抵抗値が１ＭΩであるものとする。また、制御回路１０２へ送られるＰＷＭ信号のデューティ比が１００％、抵抗１１２と抵抗１１４の接続位置（図６のＶ２）の電位が５Ｖの場合に、負荷１５０に供給される電圧が１０００Ｖとなるものとする。
【００２８】
図７は、負荷１５０に供給される電圧が５００Ｖの場合における、当該負荷１５０の抵抗値（負荷抵抗値）、当該負荷１５０に供給される負荷電流の値、抵抗１１６の一端（図６のＶ３）の電位、図６のＶ２の電位、図６のＶ１の電位、及び、負荷１５０に供給される電圧（負荷電圧）の対応関係を示す図である。
【００２９】
負荷抵抗値は、負荷１５０を構成するトナーの量が少ないほど、大きくなる。負荷抵抗値が１０００ＭΩであって負荷電圧が５００Ｖの場合、負荷電流は、負荷電圧５００Ｖを負荷抵抗値１０００ＭΩで除した値０．５μＡとなる。図６のＶ３の電位は、負荷電流０．５μＡと抵抗１１６の抵抗値５．０２５ｋΩとを乗じ、更に抵抗１１６の他端が接地されていることから−１を乗じることによって、−０．００２５Ｖと求められる。一方、制御回路１０２によって、図６のＶ２の電位が２．５Ｖに維持されるため、抵抗１１４における電圧降下は、０．００２５Ｖと２．５Ｖとを加えた２．５０２５Ｖと求められる。更に、抵抗１１２の抵抗値は１９９ＭΩ、抵抗１１４の抵抗値は１ＭΩであるため、抵抗１１２における電圧降下は、抵抗１１４における電圧降下２．５０２５Ｖに１９９を乗じた４９８Ｖと求められる。更に、図６のＶ１における電位は、Ｖ３の電位−０．００２５Ｖ、抵抗１１４における電圧降下２．５０２５Ｖ、抵抗１１２における電圧降下４９８Ｖを加えた５００．５Ｖとなる。
【００３０】
従って、制御回路１０２は、負荷電流、換言すれば、抵抗１１６を流れる電流が０．５μＡの場合には、図６のＶ２の電位を２．５Ｖに設定しているため、図６のＶ１の電位（出力電位）を５００．５Ｖとなるように制御することにより、負荷抵抗値が１０００ＭΩである場合に、負荷電圧を目標値の５００Ｖにすることができる。
【００３１】
また、負荷抵抗値が５００ＭΩであって負荷電圧５００Ｖの場合、負荷電流は、負荷電圧５００Ｖを負荷抵抗値５００ＭΩで除した値１μＡとなる。図６のＶ３の電位は、負荷電流１μＡと抵抗１１６の抵抗値５．０２５ｋΩとを乗じ、更に抵抗１１６の他端が接地されていることから−１を乗じることによって、−０．００５Ｖと求められる。一方、制御回路１０２によって、図６のＶ２の電位が２．５Ｖに維持されるため、抵抗１１４における電圧降下は、０．００５Ｖと２．５Ｖとを加えた２．５０５Ｖと求められる。更に、抵抗１１２の抵抗値は１９９ＭΩ、抵抗１１４の抵抗値は１ＭΩであるため、抵抗１１２における電圧降下は、抵抗１１４における電圧降下２．５０５Ｖに１９９を乗じた４９８．５Ｖと求められる。更に、図６のＶ１における電位は、Ｖ３の電位−０．００５Ｖ、抵抗１１４における電圧降下２．５０５Ｖ、抵抗１１２における電圧降下４９８．５Ｖを加えた５０１Ｖとなる。
【００３２】
従って、制御回路１０２は、負荷電流が１μＡの場合には、図６のＶ２の電位を２．５Ｖに設定しているため、図６のＶ１の電位（出力電位）が５０１Ｖとなるように制御することにより、負荷抵抗値が５００ＭΩである場合に、負荷電圧を目標値の５００Ｖにすることができる。
【００３３】
また、負荷抵抗値が１００ＭΩであって負荷電圧が５００Ｖの場合、負荷電流は、負荷電圧５００Ｖを負荷抵抗値１００ＭΩで除した値５μＡとなる。図６のＶ３の電位は、負荷電流５μＡと抵抗１１６の抵抗値５．０２５ｋΩとを乗じ、更に抵抗１１６の他端が接地されていることから−１を乗じることによって、−０．０２５Ｖと求められる。一方、制御回路１０２によって、図６のＶ２の電位が２．５Ｖに維持されるため、抵抗１１４における電圧降下は、０．０２５Ｖと２．５Ｖとを加えた２．５２５Ｖと求められる。更に、抵抗１１２の抵抗値は１９９ＭΩ、抵抗１１４の抵抗値は１ＭΩであるため、抵抗１１２における電圧降下は、抵抗１１４における電圧降下２．５２５Ｖに１９９を乗じた５０２．５Ｖと求められる。更に、図６のＶ１における電位は、Ｖ３の電位−０．０２５Ｖ、抵抗１１４における電圧降下２．５２５Ｖ、抵抗１１２における電圧降下５０２．５Ｖを加えた５０５Ｖとなる。
【００３４】
従って、制御回路１０２は、負荷電流が５μＡの場合には、図６のＶ２の電位を２．５Ｖに設定しているため、図６のＶ１の電位（出力電位）が５０５Ｖとなるように制御することにより、負荷抵抗値が１００ＭΩである場合に、負荷電圧を目標値の５００Ｖにすることができる。
【００３５】
また、負荷抵抗値が５０ＭΩであって負荷電圧が５００Ｖの場合、負荷電流は、負荷電圧５００Ｖを負荷抵抗値５０ＭΩで除した値１０μＡとなる。図６のＶ３の電位は、負荷電流１０μＡと抵抗１１６の抵抗値５．０２５ｋΩとを乗じ、更に抵抗１１６の他端が接地されていることから−１を乗じることによって、−０．０５Ｖと求められる。一方、制御回路１０２によって、図６のＶ２の電位が２．５Ｖに維持されるため、抵抗１１４における電圧降下は、０．０５Ｖと２．５Ｖとを加えた２．５５Ｖと求められる。更に、抵抗１１２の抵抗値は１９９ＭΩ、抵抗１１４の抵抗値は１ＭΩであるため、抵抗１１２における電圧降下は、抵抗１１４における電圧降下２．５５Ｖに１９９を乗じた５０７．５Ｖと求められる。更に、図６のＶ１における電位は、Ｖ３の電位−０．０５Ｖ、抵抗１１４における電圧降下２．５５Ｖ、抵抗１１２における電圧降下５０７．５Ｖを加えた５１０Ｖとなる。
【００３６】
従って、制御回路１０２は、負荷電流が１０μＡの場合には、図６のＶ２の電位を２．５Ｖに設定しているため、図６のＶ１の電位（出力電位）が５１０Ｖとなるように制御することにより、負荷抵抗値が５０ＭΩである場合に、負荷電圧を目標値の５００Ｖにすることができる。
【００３７】
また、図８は、負荷１５０に供給される電圧が７００Ｖの場合、図９は、負荷１５０に供給される電圧が１０００Ｖの場合における、当該負荷１５０の抵抗値（負荷抵抗値）、当該負荷１５０に供給される負荷電流の値、図６のＶ３の電位、図６のＶ２の電位、図６のＶ１の電位、及び、負荷１５０に供給される電圧（負荷電圧）の対応関係を示す図である。
【００３８】
図８に示すように、目標とする負荷電圧が７００Ｖの場合には、制御回路１０２が図６のＶ２の電位を３．５Ｖに設定することにより、負荷電流が０．７μＡであれば、出力電位を７００．７Ｖに、負荷電流が１．４μＡであれば、出力電位を７０１．４Ｖに、負荷電流が７μＡであれば、出力電位を７０７Ｖに、負荷電流が１４μＡであれば、出力電位を７１４Ｖに、それぞれ制御される。
【００３９】
また、図９に示すように、目標とする負荷電圧が１０００Ｖの場合には、制御回路１０２が図６のＶ２の電位を５Ｖに設定することにより、負荷電流が１μＡであれば、出力電位を１００１Ｖに、負荷電流が２μＡであれば、出力電位を１００２Ｖに、負荷電流が１０μＡであれば、出力電位を１０１０Ｖに、負荷電流が２０μＡであれば、出力電位を１０２０Ｖに、それぞれ制御される。
【００４０】
このように、電源装置１００−１は、補正手段としての抵抗１１６を設け、負荷１５０に供給すべき電圧に応じて、図６のＶ２の電位を所定の電位に設定して、図６のＶ１の電位（出力電位）を所定の電位に制御することにより、負荷１５０の抵抗値が変動しても、当該負荷１５０に供給される電圧を目標値とすることができる。
【００４１】
図１０は、電源装置の第２の構成を示す図である。図１０に示す電源装置１００−２は、負荷１５０に対して負の直流電圧を供給するものであり、図６に示した電源装置１００−１と比較すると、ダイオード１０８に代えて、ダイオード１０９を有する。このダイオード１０９は、カソードがトランスの２次側に接続され、アノードがコンデンサ１１０の一端、抵抗１１２の一端及び終端抵抗１１８の一端に接続されている。また、抵抗１１６の他端は所定電位（ここでは５Ｖ）に維持されており、当該他端は抵抗１２０を介して直流電源（ここでは２４Ｖ）に接続されている。また、ツェナーダイオード１２２は、カソード側が抵抗１１６の他端に接続され、アノード側が接地されている。負荷１５０の他端は接地されている。電源装置１００−２は、負荷１５０の抵抗値が変動しても、当該負荷１５０に供給される電圧が所定値となるように、他端が所定電位に維持された抵抗１１６を設け、制御回路１０２により、図１０のＶ２の電位を所定値に維持することによって、図６のＶ１の電位（出力電位）を制御する。
【００４２】
以下、負荷１５０に供給される電圧を所定値に維持する動作の詳細を説明する。なお、以下においては、抵抗１１２の抵抗値が２０１．５ＭΩ、抵抗１１４の抵抗値が０．５ＭΩ、抵抗１１６の抵抗値が２．４８１ｋΩ、終端抵抗１１８の抵抗値が１ＭΩであるものとする。また、制御回路１０２へ送られるＰＷＭ信号のデューティ比が１００％、抵抗１１２と抵抗１１４の接続位置（図１０のＶ２）の電位が２．５Ｖの場合に、負荷１５０に供給される電圧が−１０００Ｖとなるものとする。
【００４３】
図１１は、負荷１５０に供給される電圧が−５００Ｖの場合における、当該負荷１５０の抵抗値（負荷抵抗値）、当該負荷１５０に供給される負荷電流の値、抵抗１１６の一端（図１０のＶ３）の電位、図１０のＶ２の電位、図１０のＶ１の電位、及び、負荷１５０に供給される電圧（負荷電圧）の対応関係を示す図である。
【００４４】
負荷抵抗値が１０００ＭΩであって負荷電圧が−５００Ｖの場合、負荷電流は、負荷電圧−５００Ｖを負荷抵抗値１０００ＭΩで除した値−０．５μＡとなる。図１０のＶ３の電位は、負荷電流−０．５μＡと抵抗１１６の抵抗値２．４８１ｋΩとを乗じ、この値を抵抗１１６の他端の電位である５Ｖから差し引くことによって５．００１２Ｖと求められる。一方、制御回路１０２によって、図１０のＶ２の電位が３．７５Ｖに維持されるため、抵抗１１４における電圧降下は、５．００１２Ｖから３．７５Ｖを差し引いた１．２５１２Ｖと求められる。更に、抵抗１１２の抵抗値は２０１．５ＭΩ、抵抗１１４の抵抗値は０．５ＭΩであるため、抵抗１１２における電圧降下は、抵抗１１４における電圧降下１．２５１２Ｖに４０３を乗じた５０４．２５Ｖと求められる。更に、図１０のＶ１における電位は、Ｖ３の電位５．００１２Ｖから抵抗１１４における電圧降下１．２５１２Ｖ、抵抗１１２における電圧降下５０４．２５Ｖを差し引いた−５００．５Ｖとなる。
【００４５】
従って、制御回路１０２は、負荷電流、換言すれば、抵抗１１６を流れる電流が−０．５μＡの場合には、図１０のＶ２の電位を３．７５Ｖに設定しているため、図１０のＶ１の電位（出力電位）が−５００．５Ｖとなるように制御することにより、負荷抵抗値が１０００ＭΩである場合に、負荷電圧を目標値の−５００Ｖにすることができる。
【００４６】
また、負荷抵抗値が５００ＭΩであって負荷電圧が−５００Ｖの場合、負荷電流は、負荷電圧−５００Ｖを負荷抵抗値５００ＭΩで除した値−１μＡとなる。図１０のＶ３の電位は、負荷電流−１μＡと抵抗１１６の抵抗値２．４８１ｋΩとを乗じ、この値を抵抗１１６の他端の電位である５Ｖから差し引くことによって５．００２５Ｖと求められる。一方、制御回路１０２によって、図１０のＶ２の電位が３．７５Ｖに維持されるため、抵抗１１４における電圧降下は、５．００２５Ｖから３．７５Ｖを差し引いた１．２５２５Ｖと求められる。更に、抵抗１１２の抵抗値は２０１．５ＭΩ、抵抗１１４の抵抗値は０．５ＭΩであるため、抵抗１１２における電圧降下は、抵抗１１４における電圧降下１．２５２５Ｖに４０３を乗じた５０４．７５Ｖと求められる。更に、図１０のＶ１における電位は、Ｖ３の電位５．００２５Ｖから抵抗１１４における電圧降下１．２５２５Ｖ、抵抗１１２における電圧降下５０４．７５Ｖを差し引いた−５０１Ｖとなる。
【００４７】
従って、制御回路１０２は、負荷電流が−１μＡの場合には、図１０のＶ２の電位を３．７５Ｖに設定しているため、図１０のＶ１の電位（出力電位）が−５０１Ｖとなるように制御することにより、負荷抵抗値が５００ＭΩである場合に、負荷電圧を目標値の−５００Ｖにすることができる。
【００４８】
また、負荷抵抗値が１００ＭΩであって負荷電圧が−５００Ｖの場合、負荷電流は、負荷電圧−５００Ｖを負荷抵抗値１００ＭΩで除した値−５μＡとなる。図１０のＶ３の電位は、負荷電流−５μＡと抵抗１１６の抵抗値２．４８１ｋΩとを乗じ、この値を抵抗１１６の他端の電位である５Ｖから差し引くことによって５．０１２４Ｖと求められる。一方、制御回路１０２によって、図１０のＶ２の電位が３．７５Ｖに維持されるため、抵抗１１４における電圧降下は、５．０１２４Ｖから３．７５Ｖを差し引いた１．２６２４Ｖと求められる。更に、抵抗１１２の抵抗値は２０１．５ＭΩ、抵抗１１４の抵抗値は０．５ＭΩであるため、抵抗１１２における電圧降下は、抵抗１１４における電圧降下１．２６２４Ｖに４０３を乗じた５０８．７５Ｖと求められる。更に、図１０のＶ１における電位は、Ｖ３の電位５．０１２４Ｖから抵抗１１４における電圧降下１．２６２４Ｖ、抵抗１１２における電圧降下５０８．７５Ｖを差し引いた−５０５Ｖとなる。
【００４９】
従って、制御回路１０２は、負荷電流が−５μＡの場合には、図１０のＶ２の電位を３．７５Ｖに設定しているため、図１０のＶ１の電位（出力電位）が−５０５Ｖとなるように制御することにより、負荷抵抗値が１００ＭΩである場合に、負荷電圧を目標値の−５００Ｖにすることができる。
【００５０】
また、負荷抵抗値が５０ＭΩであって負荷電圧が−５００Ｖの場合、負荷電流は、負荷電圧−５００Ｖを負荷抵抗値５０ＭΩで除した値−１０μＡとなる。図１０のＶ３の電位は、負荷電流−１０μＡと抵抗１１６の抵抗値２．４８１ｋΩとを乗じ、この値を抵抗１１６の他端の電位である５Ｖから差し引くことによって５．０２４８Ｖと求められる。一方、制御回路１０２によって、図１０のＶ２の電位が３．７５Ｖに維持されるため、抵抗１１４における電圧降下は、５．０２４８Ｖから３．７５Ｖを差し引いた１．２７４８Ｖと求められる。更に、抵抗１１２の抵抗値は２０１．５ＭΩ、抵抗１１４の抵抗値は０．５ＭΩであるため、抵抗１１２における電圧降下は、抵抗１１４における電圧降下１．２５２５Ｖに４０３を乗じた５１３．７５Ｖと求められる。更に、図１０のＶ１における電位は、Ｖ３の電位５．０２４８Ｖから抵抗１１４における電圧降下１．２７４８Ｖ、抵抗１１２における電圧降下５１３．７５Ｖを差し引いた−５１０Ｖとなる。
【００５１】
従って、制御回路１０２は、負荷電流が−１０μＡの場合には、図１０のＶ２の電位を３．７５Ｖに設定しているため、図１０のＶ１の電位（出力電位）が−５１０Ｖとなるように制御することにより、負荷抵抗値が５００ＭΩである場合に、負荷電圧を目標値の−５００Ｖにすることができる。
【００５２】
また、図１２は、負荷１５０に供給される電圧が−７０２Ｖの場合、図１３は、負荷１５０に供給される電圧が−１００５Ｖの場合における、当該負荷１５０の抵抗値（負荷抵抗値）、当該負荷１５０に供給される負荷電流の値、図１０のＶ３の電位、図１０のＶ２の電位、図１０のＶ１の電位、及び、負荷１５０に供給される電圧（負荷電圧）の対応関係を示す図である。
【００５３】
図１２に示すように、目標とする負荷電圧が−７０２Ｖの場合には、制御回路１０２が図１０のＶ２の電位を３．２５Ｖに設定することにより、負荷電流が−０．７μＡであれば、出力電位を−７０２．７Ｖに、負荷電流が−１．４μＡであれば、出力電位を−７０３．４Ｖに、負荷電流が−７μＡであれば、出力電位を−７０９Ｖに、負荷電流が−１４μＡであれば、出力電位を−７１６Ｖに、それぞれ制御される。
【００５４】
また、図１３に示すように、目標とする負荷電圧が−１００５Ｖの場合には、制御回路１０２が図１０のＶ２の電位を２．５Ｖに設定することにより、負荷電流が−１μＡであれば、出力電位を−１００６Ｖに、負荷電流が−２μＡであれば、出力電位を−１００７Ｖに、負荷電流が−１０μＡであれば、出力電位を−１０１５Ｖに、負荷電流が−２０μＡであれば、出力電位を−１０２５Ｖに、それぞれ制御される。
【００５５】
図１４は、電源装置の第３の構成を示す図である。図１４に示す電源装置１００−３は、負荷１５０に対して正の直流電圧を供給するものであり、図６に示した電源装置１００−１と比較すると、デジタル／アナログ（Ｄ／Ａ）変換器１３０、加算器１３２及びＯＰアンプ１３４を有する。
【００５６】
抵抗１１６は、図６に示した電源装置１００−１とは異なり、一端がＯＰアンプ１３４の出力端子に接続され、他端がＯＰアンプ１３４の一方の入力端子、コンデンサ１１０の他端、トランス１０６の２次側の他端、及び、抵抗１１４の一端に接続されている。また、ＯＰアンプ１３４の他方の入力端子は接地され、出力端子は加算器１３２に接続されている。
【００５７】
Ｄ／Ａ変換器１３０は、所定のデューティ比を有するＰＷＭ信号に対応する電圧値を加算器１３２へ出力する。加算器１３２は、この電圧値に、図１４のＶ３の電位を加算して制御回路１０２へ出力する。制御回路１０２は、図１４のＶ２の電位を加算器１３２からの加算値に維持することによって、図１４のＶ１の電位（出力電位）を制御する。
【００５８】
以下、負荷１５０に供給される電圧を所定値に維持する動作の詳細を説明する。なお、以下においては、抵抗１１２の抵抗値が１９９ＭΩ、抵抗１１４の抵抗値が１ＭΩ、抵抗１１６の抵抗値が５ｋΩ、終端抵抗１１８の抵抗値が１ＭΩであるものとする。また、Ｄ／Ａ変換器１３０へ送られるＰＷＭ信号のデューティ比が１００％、抵抗１１２と抵抗１１４の接続位置（図１４のＶ２）の電位が５Ｖの場合に、負荷１５０に供給される電圧が１０００Ｖとなるものとする。
【００５９】
図１５は、負荷１５０に供給される電圧が５００Ｖの場合における、当該負荷１５０の抵抗値（負荷抵抗値）、当該負荷１５０に供給される負荷電流の値、抵抗１１６の一端（図１４のＶ３）の電位、図１４のＶ２の電位、図１４のＶ１の電位、及び、負荷１５０に供給される電圧（負荷電圧）の対応関係を示す図である。
【００６０】
負荷抵抗値が１０００ＭΩであって負荷電圧が５００Ｖの場合、負荷電流は、負荷電圧５００Ｖを負荷抵抗値１０００ＭΩで除した値０．５μＡとなる。図１４のＶ３の電位は、負荷電流０．５μＡと抵抗１１６の抵抗値５ｋΩとを乗じた０．００２５Ｖと求められる。ＰＷＭ信号のデューティ比が５０％の場合、Ｄ／Ａ変換器１３０から加算器１３２へ電圧値２．５Ｖが送られ、加算器１３２は、この２．５ＶとＶ３の電位０．００２５Ｖとを加算した値２．５０２５Ｖを制御回路１０２へ出力する。制御回路１０２は、図１４のＶ２の電位がこの加算値２．５０２５Ｖとなるように制御を行う。一方、図１４のＶ２の電位が２．５０２５Ｖに維持される場合、抵抗１１２の抵抗値は１９９ＭΩ、抵抗１１４の抵抗値は１ＭΩであるため、抵抗１１２における電圧降下は、抵抗１１４における電圧降下２．５０２５Ｖに１９９を乗じた４９７．９９７５Ｖと求められる。更に、図１４のＶ１における電位は、Ｖ２の電位２．５０２５Ｖに抵抗１１２における電圧降下４９７．９９７５Ｖを加えた５００．５Ｖとなる。
【００６１】
従って、制御回路１０２は、負荷電流、換言すれば、抵抗１１６を流れる電流が０．５μＡの場合には、図１４のＶ２の電位を２．５０２５Ｖに設定して、図１４のＶ１の電位（出力電位）を５００．５Ｖとなるように制御することにより、負荷抵抗値が１０００ＭΩである場合に、負荷電圧を目標値の５００Ｖにすることができる。
【００６２】
また、負荷抵抗値が５００ＭΩであって負荷電圧５００Ｖの場合、負荷電流は、負荷電圧５００Ｖを負荷抵抗値５００ＭΩで除した値１μＡとなる。図１４のＶ３の電位は、負荷電流１μＡと抵抗１１６の抵抗値５ｋΩとを乗じることによって、０．００５Ｖと求められる。上述と同様、制御回路１０２は、図１４のＶ２の電位が、ＰＷＭ信号のデューティ比が５０％に対応する２．５ＶとＶ３の電位０．００５Ｖとを加算した値２．５０５Ｖとなるように制御を行う。一方、制御回路１０２によって、図１４のＶ２の電位が２．５０５Ｖに維持される場合、抵抗１１２の抵抗値は１９９ＭΩ、抵抗１１４の抵抗値は１ＭΩであるため、抵抗１１２における電圧降下は、抵抗１１４における電圧降下２．５０５Ｖに１９９を乗じた４９８．４９５Ｖと求められる。更に、図１４のＶ１における電位は、Ｖ２の電位２．５０５Ｖ、抵抗１１２における電圧降下４９８．４９５Ｖを加えた５０１Ｖとなる。
【００６３】
従って、制御回路１０２は、負荷電流が１μＡの場合には、図１４のＶ２の電位を２．５０５Ｖに設定して、図１４のＶ１の電位（出力電位）が５０１Ｖとなるように制御することにより、負荷抵抗値が５００ＭΩである場合に、負荷電圧を目標値の５００Ｖにすることができる。
【００６４】
また、負荷抵抗値が１００ＭΩであって負荷電圧が５００Ｖの場合、負荷電流は、負荷電圧５００Ｖを負荷抵抗値１００ＭΩで除した値５μＡとなる。図１４のＶ３の電位は、負荷電流５μＡと抵抗１１６の抵抗値５ｋΩとを乗じた０．０２５Ｖと求められる。上述と同様、制御回路１０２は、図１４のＶ２の電位が、ＰＷＭ信号のデューティ比が５０％に対応する２．５ＶとＶ３の電位０．０２５Ｖとを加算した値２．５２５Ｖとなるように制御を行う。一方、制御回路１０２によって、図１４のＶ２の電位が２．５２５Ｖに維持される場合、抵抗１１２の抵抗値は１９９ＭΩ、抵抗１１４の抵抗値は１ＭΩであるため、抵抗１１２における電圧降下は、抵抗１１４における電圧降下２．５２５Ｖに１９９を乗じた５０２．４７５Ｖと求められる。更に、図１４のＶ１における電位は、Ｖ２の電位２．５２５Ｖ、抵抗１１２における電圧降下５０２．４７５Ｖを加えた５０５Ｖとなる。
【００６５】
従って、制御回路１０２は、負荷電流が５μＡの場合には、図１４のＶ２の電位を２．５２５Ｖに設定して、図１４のＶ１の電位（出力電位）が５０５Ｖとなるように制御することにより、負荷抵抗値が５００ＭΩである場合に、負荷電圧を目標値の５００Ｖにすることができる。
【００６６】
また、負荷抵抗値が５０ＭΩであって負荷電圧が５００Ｖの場合、負荷電流は、負荷電圧５００Ｖを負荷抵抗値５０ＭΩで除した値１０μＡとなる。図１４のＶ３の電位は、負荷電流１０μＡと抵抗１１６の抵抗値５ｋΩとを乗じた０．０５Ｖと求められる。上述と同様、制御回路１０２は、図１４のＶ２の電位が、ＰＷＭ信号のデューティ比が５０％に対応する２．５ＶとＶ３の電位０．０５Ｖとを加算した値２．５５Ｖとなるように制御を行う。一方、制御回路１０２によって、図１４のＶ２の電位が２．５５Ｖに維持される場合、抵抗１１２の抵抗値は１９９ＭΩ、抵抗１１４の抵抗値は１ＭΩであるため、抵抗１１２における電圧降下は、抵抗１１４における電圧降下２．５５Ｖに１９９を乗じた５０７．４５Ｖと求められる。更に、図１４のＶ１における電位は、Ｖ２の電位２．５５Ｖ、抵抗１１２における電圧降下５０７．４５Ｖを加えた５１０Ｖとなる。
【００６７】
従って、制御回路１０２は、負荷電流が１０μＡの場合には、図１４のＶ２の電位を２．５５Ｖに設定して、図１４のＶ１の電位（出力電位）が５１０Ｖとなるように制御することにより、負荷抵抗値が５００ＭΩである場合に、負荷電圧を目標値の５００Ｖにすることができる。
【００６８】
また、図１６は、負荷１５０に供給される電圧が７００Ｖの場合、図１７は、負荷１５０に供給される電圧が１０００Ｖの場合における、当該負荷１５０の抵抗値（負荷抵抗値）、当該負荷１５０に供給される負荷電流の値、図１４のＶ３の電位、図１４のＶ２の電位、図１４のＶ１の電位、及び、負荷１５０に供給される電圧（負荷電圧）の対応関係を示す図である。
【００６９】
図１６に示すように、目標とする負荷電圧が７００Ｖの場合には、制御回路１０２は、図１４のＶ２の電位を、負荷抵抗値が１０００ＭΩ、負荷電流が０．７μＡであれば、３．５０３５Ｖに、負荷抵抗値が５００ＭΩ、負荷電流が１．４μＡであれば、３．５０７Ｖに、負荷抵抗値が１００ＭΩ、負荷電流が７μＡであれば、３．５３５Ｖに、負荷抵抗値が５０ＭΩ、負荷電流が１４μＡであれば、３．５７Ｖに、それぞれ設定すればよい。
【００７０】
また、図１７に示すように、目標とする負荷電圧が１０００Ｖの場合には、制御回路１０２は、図１４のＶ２の電位を、負荷抵抗値が１０００ＭΩ、負荷電流が１μＡであれば、５．００５Ｖに、負荷抵抗値が５００ＭΩ、負荷電流が２μＡであれば、５．０１Ｖに、負荷抵抗値が１００ＭΩ、負荷電流が１０μＡであれば、５．０５Ｖに、負荷抵抗値が５０ＭΩ、負荷電流が２０μＡであれば、５．１Ｖに、それぞれ設定すればよい。
【００７１】
図１８は、電源装置の第４の構成を示す図である。図１８に示す電源装置１００−４は、負荷１５０に対して負の直流電圧を供給するものであり、図１４に示した電源装置１００−３と比較すると、ダイオード１０８に代えて、ダイオード１０９を有する。このダイオード１０９は、カソードがトランスの２次側に接続され、アノードがコンデンサ１１０の一端、抵抗１１２の一端及び終端抵抗１１８の一端に接続されている。また、電源装置１００−４は、加算器１３２に代えて減算器１３６を有し、この減算器１３６とＯＰアンプ１３４の出力端子との間に減算・反転回路１３８を有する。また、ＯＰアンプ１３４の他方の入力端子は５Ｖに維持されている。減算・反転回路１３８は、ＯＰアンプ１３４の出力端子の電位から抵抗１１６の電圧降下分に対応する電位を出力とするものであり、２．５Ｖを基準として減算を行い、２．５Ｖを基準として反転動作を行うＯＰアンプ（図示せず）等により構成される。Ｄ／Ａ変換器１３０は、所定のデューティ比を有するＰＷＭ信号に対応する電圧値を減算器１３６へ出力する。減算器１３６は、この電圧値から、図１８のＶ３の電位を減算して制御回路１０２へ出力する。制御回路１０２は、図１８のＶ２の電位を減算器１３６からの減算値に維持することによって、図１８のＶ１の電位（出力電位）を制御する。
【００７２】
以下、負荷１５０に供給される電圧を所定値に維持する動作の詳細を説明する。なお、以下においては、抵抗１１２の抵抗値が２０１．５ＭΩ、抵抗１１４の抵抗値が０．５ＭΩ、抵抗１１６の抵抗値が２．５ｋΩ、終端抵抗１１８の抵抗値が１ＭΩであるものとする。また、Ｄ／Ａ変換器１３０へ送られるＰＷＭ信号のデューティ比が１００％、抵抗１１２と抵抗１１４の接続位置（図１８のＶ２）の電位が２．５Ｖの場合に、負荷１５０に供給される電圧が−１０００Ｖとなるものとする。
【００７３】
図１９は、負荷１５０に供給される電圧が−５００Ｖの場合における、当該負荷１５０の抵抗値（負荷抵抗値）、当該負荷１５０に供給される負荷電流の値、減算・反転回路１３８（図１８のＶ３）の電位、図１８のＶ２の電位、図１８のＶ１の電位、及び、負荷１５０に供給される電圧（負荷電圧）の対応関係を示す図である。
【００７４】
負荷抵抗値が１０００ＭΩであって負荷電圧が−５００Ｖの場合、負荷電流は、負荷電圧−５００Ｖを負荷抵抗値１０００ＭΩで除した値−０．５μＡとなる。抵抗１１６の電圧降下は、負荷電流−０．５μＡと抵抗１１６の抵抗値２．５ｋΩとを乗じた０．００１２５Ｖと求められ、減算・反転回路１３８により図１８のＶ３の電位として現れる。ＰＷＭ信号のデューティ比が５０％の場合、Ｄ／Ａ変換器１３０から減算器１３６へ電圧値３．７５Ｖが送られ、減算器１３６は、この３．７５ＶからＶ３の電位０．００１２５Ｖを減算した値３．７４８５Ｖを制御回路１０２へ出力する。制御回路１０２は、図１８のＶ２の電位がこの減算値３．７４８５Ｖとなるように制御を行う。一方、図１８のＶ２の電位が３．７４８５Ｖに維持される場合、抵抗１１２の抵抗値は２０１．５ＭΩ、抵抗１１４の抵抗値は０．５ＭΩであり、ＯＰアンプ１３４によって５Ｖのプルアップがなされているため、図１８のＶ１における電位は、−５００．５Ｖとなる。
【００７５】
従って、制御回路１０２は、負荷電流、換言すれば、抵抗１１６を流れる電流が−０．５μＡの場合には、図１８のＶ２の電位を３．７４８５Ｖに設定して、図１８のＶ１の電位（出力電位）を−５００．５Ｖとなるように制御することにより、負荷抵抗値が１０００ＭΩである場合に、負荷電圧を目標値の−５００Ｖにすることができる。
【００７６】
また、負荷抵抗値が５００ＭΩであって負荷電圧−５００Ｖの場合、負荷電流は、負荷電圧−５００Ｖを負荷抵抗値５００ＭΩで除した値−１μＡとなる。抵抗１１６の電圧降下は、負荷電流−１μＡと抵抗１１６の抵抗値２．５ｋΩとを乗じた０．００２５Ｖと求められ、減算・反転回路１３８により図１８のＶ３の電位として現れる。上述と同様、制御回路１０２は、図１８のＶ２の電位が、ＰＷＭ信号のデューティ比が５０％に対応する３．７５ＶからＶ３の電位０．００２５Ｖを減算した値３．７４７５Ｖとなるように制御を行う。一方、制御回路１０２によって、図１８のＶ２の電位が３．７４７５Ｖに維持される場合、抵抗１１２の抵抗値は２０１．５ＭΩ、抵抗１１４の抵抗値は０．５ＭΩであり、ＯＰアンプ１３４によって５Ｖのプルアップがなされているため、図１８のＶ１における電位は、−５０１Ｖとなる。
【００７７】
従って、制御回路１０２は、負荷電流、換言すれば、抵抗１１６を流れる電流が−１μＡの場合には、図１８のＶ２の電位を３．７４７５Ｖに設定して、図１８のＶ１の電位（出力電位）を−５０１Ｖとなるように制御することにより、負荷抵抗値が５００ＭΩである場合に、負荷電圧を目標値の−５００Ｖにすることができる。
【００７８】
また、負荷抵抗値が１００ＭΩであって負荷電圧−５００Ｖの場合、負荷電流は、負荷電圧−５００Ｖを負荷抵抗値１００ＭΩで除した値−５μＡとなる。抵抗１１６の電圧降下は、負荷電流−５μＡと抵抗１１６の抵抗値２．５ｋΩとを乗じた０．０１２５Ｖと求められ、減算・反転回路１３８により図１８のＶ３の電位として現れる。上述と同様、制御回路１０２は、図１８のＶ２の電位が、ＰＷＭ信号のデューティ比が５０％に対応する３．７５ＶからＶ３の電位０．０１２５Ｖを減算した値３．７３７５Ｖとなるように制御を行う。一方、制御回路１０２によって、図１８のＶ２の電位が３．７３７５Ｖに維持される場合、抵抗１１２の抵抗値は２０１．５ＭΩ、抵抗１１４の抵抗値は０．５ＭΩであり、ＯＰアンプ１３４によって５Ｖのプルアップがなされているため、図１８のＶ１における電位は、−５０５Ｖとなる。
【００７９】
従って、制御回路１０２は、負荷電流、換言すれば、抵抗１１６を流れる電流が−５μＡの場合には、図１８のＶ２の電位を３．７３７５Ｖに設定して、図１８のＶ１の電位（出力電位）を−５０５Ｖとなるように制御することにより、負荷抵抗値が１００ＭΩである場合に、負荷電圧を目標値の−５００Ｖにすることができる。
【００８０】
また、負荷抵抗値が５００ＭΩであって負荷電圧−５００Ｖの場合、負荷電流は、負荷電圧−５００Ｖを負荷抵抗値５０ＭΩで除した値−１０μＡとなる。抵抗１１６の電圧降下は、負荷電流−１０μＡと抵抗１１６の抵抗値２．５ｋΩとを乗じた０．０２５Ｖと求められ、減算・反転回路１３８により図１８のＶ３の電位として現れる。上述と同様、制御回路１０２は、図１８のＶ２の電位が、ＰＷＭ信号のデューティ比が５０％に対応する３．７５ＶからＶ３の電位０．０２５Ｖを減算した値３．７２５Ｖとなるように制御を行う。一方、制御回路１０２によって、図１８のＶ２の電位が３．７２５Ｖに維持される場合、抵抗１１２の抵抗値は２０１．５ＭΩ、抵抗１１４の抵抗値は０．５ＭΩであり、ＯＰアンプ１３４によって５Ｖのプルアップがなされているため、図１８のＶ１における電位は、−５１０Ｖとなる。
【００８１】
従って、制御回路１０２は、負荷電流、換言すれば、抵抗１１６を流れる電流が−１０μＡの場合には、図１８のＶ２の電位を３．７２５Ｖに設定して、図１８のＶ１の電位（出力電位）を−５１０Ｖとなるように制御することにより、負荷抵抗値が５０ＭΩである場合に、負荷電圧を目標値の−５００Ｖにすることができる。
【００８２】
また、図２０は、負荷１５０に供給される電圧が−７０２Ｖの場合、図２１は、負荷１５０に供給される電圧が−１００５Ｖの場合における、当該負荷１５０の抵抗値（負荷抵抗値）、当該負荷１５０に供給される負荷電流の値、図１８のＶ３の電位、図１８のＶ２の電位、図１８のＶ１の電位、及び、負荷１５０に供給される電圧（負荷電圧）の対応関係を示す図である。
【００８３】
図２０に示すように、目標とする負荷電圧が−７０２Ｖの場合には、制御回路１０２は、図１８のＶ２の電位を、負荷抵抗値が１０００ＭΩ、負荷電流が−０．７μＡであれば、３．２４８２５Ｖに、負荷抵抗値が５００ＭΩ、負荷電流が−１．４μＡであれば、３．２４６５Ｖに、負荷抵抗値が１００ＭΩ、負荷電流が−７μＡであれば、３．２３２５Ｖに、負荷抵抗値が５０ＭΩ、負荷電流が−１４μＡであれば、３．２１５Ｖに、それぞれ設定すればよい。
【００８４】
また、図２１に示すように、目標とする負荷電圧が−１００５Ｖの場合には、制御回路１０２は、図１８のＶ２の電位を、負荷抵抗値が１０００ＭΩ、負荷電流が−１μＡであれば、２．４９７５Ｖに、負荷抵抗値が５００ＭΩ、負荷電流が−２μＡであれば、２．４９５Ｖに、負荷抵抗値が１００ＭΩ、負荷電流が−１０μＡであれば、２．４７５Ｖに、負荷抵抗値が５０ＭΩ、負荷電流が−２０μＡであれば、２．４５Ｖに、それぞれ設定すればよい。
【産業上の利用可能性】
【００８５】
以上、説明したように、本発明に係る電源装置は、負荷に対して適切な電圧供給が可能であり、電源装置として有用である。
【図面の簡単な説明】
【００８６】
【図１】従来の画像形成装置の第１の構成を示す図である。
【図２】従来の画像形成装置の第２の構成を示す図である。
【図３】従来の電源装置の構成を示す図である。
【図４】従来の電源装置に従来の画像形成装置を接続した構成を示す図である。
【図５】図４の等価回路である。
【図６】本発明の実施の形態にかかる画像形成装置の第１の構成を示す図である。
【図７】図６の画像形成装置における負荷抵抗値、負荷電流、各部の電位、負荷電圧の第１の対応関係を示す図である。
【図８】図６の画像形成装置における負荷抵抗値、負荷電流、各部の電位、負荷電圧の第２の対応関係を示す図である。
【図９】図６の画像形成装置における負荷抵抗値、負荷電流、各部の電位、負荷電圧の第３の対応関係を示す図である。
【図１０】本発明の実施の形態にかかる画像形成装置の第２の構成を示す図である。
【図１１】図１０の画像形成装置における負荷抵抗値、負荷電流、各部の電位、負荷電圧の第１の対応関係を示す図である。
【図１２】図１０の画像形成装置における負荷抵抗値、負荷電流、各部の電位、負荷電圧の第２の対応関係を示す図である。
【図１３】図１０の画像形成装置における負荷抵抗値、負荷電流、各部の電位、負荷電圧の第３の対応関係を示す図である。
【図１４】本発明の実施の形態にかかる画像形成装置の第３の構成を示す図である。
【図１５】図１４の画像形成装置における負荷抵抗値、負荷電流、各部の電位、負荷電圧の第１の対応関係を示す図である。
【図１６】図１４の画像形成装置における負荷抵抗値、負荷電流、各部の電位、負荷電圧の第２の対応関係を示す図である。
【図１７】図１４の画像形成装置における負荷抵抗値、負荷電流、各部の電位、負荷電圧の第３の対応関係を示す図である。
【図１８】本発明の実施の形態にかかる画像形成装置の第４の構成を示す図である。
【図１９】図１８の画像形成装置における負荷抵抗値、負荷電流、各部の電位、負荷電圧の第１の対応関係を示す図である。
【図２０】図１８の画像形成装置における負荷抵抗値、負荷電流、各部の電位、負荷電圧の第２の対応関係を示す図である。
【図２１】図１８の画像形成装置における負荷抵抗値、負荷電流、各部の電位、負荷電圧の第３の対応関係を示す図である。
【符号の説明】
【００８７】
１００−１、１００−２、１００−３、１００−４  電源装置
１０２  制御回路
１０４  スイッチ回路
１０６  トランス
１０８、１０９  ダイオード
１１０  コンデンサ
１１２、１１４、１１６、１２０  抵抗
１１８  終端抵抗
１２２  ツェナーダイオード
１３０  Ｄ／Ａ変換器
１３２  加算器
１３４  ＯＰアンプ
１３６  減算器
１３８  減算・反転回路
１５０  負荷
【図１】
2007028831.tif 000003
【図２】
2007028831.tif 000004
【図３】
2007028831.tif 000005
【図４】
2007028831.tif 000006
【図５】
2007028831.tif 000007
【図６】
2007028831.tif 000008
【図７】
2007028831.tif 000009
【図８】
2007028831.tif 000010
【図９】
2007028831.tif 000011
【図１０】
2007028831.tif 000012
【図１１】
2007028831.tif 000013
【図１２】
2007028831.tif 000014
【図１３】
2007028831.tif 000015
【図１４】
2007028831.tif 000016
【図１５】
2007028831.tif 000017
【図１６】
2007028831.tif 000018
【図１７】
2007028831.tif 000019
【図１８】
2007028831.tif 000020
【図１９】
2007028831.tif 000021
【図２０】
2007028831.tif 000022
【図２１】
2007028831.tif 000023